(57)【要約】【課題】スクリーンを横方向にその左から右へ又は右から左へスライドさせ、使用時にはスクリーンを黒板表面に密着させるようにした黒板装置を提供する。【解決手段】表面側が磁性金属材からなる黒板１の上下端部に夫々ガイドレール３，４を設け、上下両ガイドレール３，４には、ロール状スクリーン収納用第１枠５の上下端部とスクリーン先端部保持用第２枠６の上下端部を夫々スライド可能に取り付け、第１枠５には、可撓性スクリーン生地１７の裏面にマグネットシート１８を貼着して形成した映写スクリーン８をロール状に巻き取って収納し、第２枠６には、第１枠５に収納されているロール状スクリーン８から引き出されるスクリーン引出先端部８ａを保持するようにしてなる。【選択図】図１
2014058135.tif 000002
【特許請求の範囲】
【請求項１】
表面側が磁性金属材からなる黒板の上下端部又はその外側壁面に夫々ガイドレールを設け、上下両ガイドレールには、スクリーン収納用第１枠の上下端部とスクリーン引出先端部保持用第２枠の上下端部を夫々スライド可能に取り付け、第１枠には、可撓性スクリーン生地の裏面にマグネットシートを貼着して形成した映写スクリーンをロール状に巻き取って収納し、第２枠には、第１枠に収納されているロール状スクリーンから引き出されるスクリーン引出先端部を保持するようにしてなる黒板装置。
【請求項２】
スクリーン使用時には、黒板の表面をスライドさせて所要スライド位置に位置させた第２枠を、該第２枠に保持されるスクリーン引出先端部を黒板の表面に吸着させることによって第２枠を黒板の表面所要スライド位置に係止させ、この状態から、第１枠を第２枠から離れる方向にスライドさせることによりスクリーンを所要長さ延出して黒板の表面に吸着させて第１枠を黒板の所要引き出し位置に係止させ、これによってスクリーン使用状態とし、スクリーン収納時には、第１枠を第２枠に近づく方向にスライドさせることにより、スクリーンを黒板の表面から剥離しながら第１枠にロール状に収納するように構成した請求項１に記載の黒板装置。
【請求項３】
スクリーン使用時には、黒板の表面をスライドさせて所要スライド位置に位置させた第１枠を黒板の表面所要スライド位置に固定させ、この状態から、第２枠を第１枠から離れる方向にスライドさせることによりスクリーンを所要長さ延出して黒板の表面に吸着させて第２枠を黒板の所要引き出し位置に係止させ、これによってスクリーン使用状態とし、スクリーン収納時には、第１枠を第２枠に近づく方向にスライドさせることにより、スクリーンを黒板の表面から剥離しながら第１枠にロール状に収納するように構成した請求項１に記載の黒板装置。
【請求項４】
第１枠には、この第１枠を所要スライド位置で黒板上に固定するストッパーを設けてなる請求項３に記載の黒板装置。
【請求項５】
映写スクリーンの表面は、書き消し可能となっている請求項１〜４の何れかに記載の黒板装置。
【発明の詳細な説明】
【技術分野】
【０００１】
本発明は、黒板に映写スクリーンを設置した黒板装置に関するものである。
【背景技術】
【０００２】
学校教育でＩＣＴ教育が盛んに取り入れられている中、ビデオプロジェクターや電子情報ボードなどのＩＣＴ関連商品を組み合わせたシステムが作られている。しかし、それらのシステムは既存の黒板にどのように設置するということを考えておらず、むしろそのシステムを導入するために、既存の黒板を取り替えなければならない問題が発生しているケースも多々ある。学校側もＩＣＴシステムと黒板取替えの費用が嵩むという現状にある。また、ビデオプロジェクター自体に電子情報ボード機能が装備されているものが多くなってきており、電子情報ボードを使用することなく、ビデオプロジェクターと映写用のスクリーンで ＩＣＴ授業が行なえるようになってきている。
【０００３】
また、学校の教室でビデオプロジェクターによりビデオを拡大放映したり、スライド映写機を使用するような場合、通常、教室には映写用スクリーンが設備されていないため、教室の正面に設置されている黒板に映写スクリーンをフック等で引っ掛けて取り付けているが、映写スクリーンをその都度黒板上の見やすい位置にいちいち引っ掛けて取り付けるようにするのでは非常に手間がかかる。
【０００４】
下記特許文献１には、黒板の上端側から映写スクリーンを引き下ろして直ちにそのスクリーンを映写できるようにした黒板装置が記載されている。この黒板装置は、黒板の上端部に巻き上げ式の映写スクリーンを黒板長手方向に移動可能に設置したものである。しかしながら、この黒板装置では、使用時に黒板の上端側から引き下ろしたスクリーンが重力でたるんだり、スクリーンが揺れたりして、映像が見にくいという問題がある。
【０００５】
また、従来の巻き上げ式映写スクリーンに映像を投影した場合、投影だけの場合は問題ないが、投影スクリーン面にマーカーで書き消ししたり、電子ペンを使用する場合、スクリーンは固定されていないため揺れが発生し、マーカーや電子ペンは使用できないという問題がある。そして特に、従来の従来の巻き上げ式映写スクリーンは、曲面黒板に使用できないという大きな問題がある。
【先行技術文献】
【特許文献】
【０００６】
【特許文献１】特開２００６−１９２６１０号公報
【発明の概要】
【発明が解決しようとする課題】
【０００７】
本発明は、上記のような種々の事情に鑑みてなされたもので、全ての既存黒板に簡単に取り付けることができ、黒板の形（曲面、半曲面、平面）やタイプ（固定式、昇降式、上げ下げ式など）の全てに対応でき、そして特に曲面黒板に簡単に取り付けることができる黒板装置を提供することを目的とする。本発明の他の目的は、どのような黒板に取り付けできるだけでなく、黒板面上のどの位置（任意の位置）でもスクリーンを貼ったり、剥がしたりすることができる黒板装置を提供することにある。更に本発明の目的は、映写スクリーンを黒板面にピッタリと貼り付けことができて、スクリーン自体揺れることがなく、マーカーや電子ペンの使用が可能な黒板装置を提供することである。しかして、本発明の黒板装置は、従来の映写スクリーンが上から下へ引き下げて使用するものだとする常識を覆し、映写スクリーンを横方向に使用するという発想のもとに開発された画期的な黒板装置である。
【課題を解決するための手段】
【０００８】
上記課題を解決するための手段を、後述する実施形態の参照符号を付して説明すると、請求項１に係る発明は、表面側が磁性金属材からなる黒板１の上下端部に夫々ガイドレール３，４を設け、上下両ガイドレール３，４には、ロール状スクリーン収納用第１枠５の上下端部とスクリーン先端部保持用第２枠６の上下端部を夫々スライド可能に取り付け、第１枠５には、可撓性スクリーン生地１７の裏面にマグネットシート１８を貼着して形成した映写スクリーン８をロール状に巻き取って収納し、第２枠６には、第１枠５に収納されているロール状スクリーン８から引き出されるスクリーン引出先端部８ａを保持するようにしてなることを特徴とする。
【０００９】
請求項２は、スクリーン使用時には、黒板１の表面をスライドさせて所要スライド位置に位置させた第２枠６を、該第２枠６に保持されるスクリーン引出先端部８ａを黒板１の表面に吸着させることによって第２枠６を黒板１の表面所要スライド位置に係止させ、この状態から、第１枠５を第２枠６から離れる方向にスライドさせることによりスクリーン８を所要長さ延出して黒板１の表面に吸着させて第１枠５を黒板１の所要引き出し位置に係止させ、これによってスクリーン使用状態とし、スクリーン収納時には、第１枠５を第２枠６に近づく方向にスライドさせることにより、スクリーン８を黒板１の表面から剥離しながら第１枠５にロール状に収納するように構成したことを特徴とする。
【００１０】
請求項３は、スクリーン使用時には、黒板１の表面をスライドさせて所要スライド位置に位置させた第１枠５を黒板１の表面所要スライド位置に固定させ、この状態から、第２枠６を第１枠５から離れる方向にスライドさせることによりスクリーン８を所要長さ延出して黒板１の表面に吸着させて第２枠６を黒板１の所要引き出し位置に係止させ、これによってスクリーン使用状態とし、スクリーン収納時には、第１枠を第２枠に近づく方向にスライドさせることにより、スクリーン８を黒板１の表面から剥離しながら第１枠５にロール状に収納するように構成したことを特徴とする。
【００１１】
請求項４は、請求項３に記載の黒板装置において、第１枠５には、この第１枠５を所要スライド位置で黒板１上に固定するストッパー１１を設けてなることを特徴とする。
【００１２】
請求項５は、請求項１〜４の何れかに記載の黒板装置において、映写スクリーン８の表面は、書き消し可能となっていることを特徴とする。
【発明の効果】
【００１３】
上記解決手段による発明の効果を、後述する実施形態の参照符号を付して説明すると、請求項１に係る発明によれば、表面側が磁性金属材からなる黒板１の上下端部に夫々ガイドレール３，４を設け、上下ガイドレール３，４に第１枠５の上下端部と第２枠６の上下端部とを夫々スライド可能に取り付け、第１枠５には、スクリーン生地１７の裏面にマグネットシート１８を貼着して形成した映写スクリーン８をロール状に巻き取って収納し、第２枠６には第１枠５に収納されているロール状スクリーン８から引き出されるスクリーン引出先端部８ａを保持するようにしたもので、使用時は、第１枠５と第２枠６の何れか一方を黒板表面に固定させた状態で、他方を離れる方向にスライドさせることでスクリーン８を引き出して黒板表面に吸着させればよいから、黒板の形が曲面や半曲面や平面の何れでも、また黒板のタイプが固定式や昇降式や上げ下げ式の何れでも、それら全ての黒板に対応して簡単に取り付けることができ、特に曲面黒板に有効である。
【００１４】
また、この発明によれば、黒板表面上のどの位置でも、即ち黒板表面上の任意の位置にスクリーンを貼ったり、剥がしたりすることができる。例えば、教室で一番見易い位置は黒板の真ん中であり、映像を取り入れた授業をする場合、第１枠５と第２枠６を黒板の中央にセットして、第１枠５と第２枠６の何れか一方を固定させた状態で、他方を離れる方向にスライドさせて、スクリーン８を横方向へ広げるだけで、黒板表面の真ん中をスクリーンとして使用することができ、児童、生徒に快適な場所で映像を楽しんでもらうことができる。
【００１５】
また、映写スクリーン８は、スクリーン生地１７の裏面にマグネットシート１８を貼着して形成されたもので、磁性金属材からなる黒板１の表面に磁力で吸着するようになっているから、スクリーン８を黒板１の表面にピッタリと密着状態に貼り付けることができ、また容易に剥ぎ取ることができる。このようにスクリーン８を磁力で黒板表面に対して貼ったり、剥がしたりできるので、黒板表面に糊などが付着することがなく、黒板の板書も快適に使用することができる。また、スクリーン８を横方向に延出して黒板表面に吸着させるようにしたから、映写スクリーン８が重力でたるんだり、揺れ動いたりすることがなく、映像が見易くなる。
【００１６】
請求項２に係る発明によれば、スクリーン使用時には、黒板１の表面をスライドさせて所要スライド位置に位置させた第２枠６を、これに保持されるスクリーン引出先端部８ａを黒板１の表面に吸着させることで第２枠６を黒板１の表面所要スライド位置に係止させ、この状態から、第１枠５を第２枠６から離れる方向にスライドさせることによりスクリーン８を所要長さ延出して黒板表面に吸着させて第１枠５を黒板１の所要引き出し位置に係止させ、これによりスクリーン使用状態とし、スクリーン収納時は、第１枠５を第２枠６に近づく方向にスライドさせることにより、スクリーン８を黒板１の表面から剥離しながら第１枠５にロール状に収納するようになっているから、スクリーン８の取付け及び収納が簡単容易となり、スクリーン８を横方向に広面積に使用できると共に、黒板１の表面を最大限利用できる。
【００１７】
請求項３に係る発明によれば、スクリーン使用時は、黒板１の表面をスライドさせて所要スライド位置に位置させた第１枠５を黒板１の表面所要スライド位置に固定させ、この状態から、第２枠６を第１枠５から離れる方向にスライドさせることによりスクリーン８を所要長さ延出して黒板１の表面に吸着させて第２枠６を黒板１の所要引き出し位置に係止させ、これによってスクリーン使用状態とし、またスクリーン収納時は、第２枠６を第１枠５に近づく方向にスライドさせても、第１枠５への巻取り収納ができなくなるため、収納時には、第１枠５を第２枠６に近づく方向にスライドさせることにより、スクリーン８を黒板１の表面から剥離しながら第１枠５にロール状に収納することができる。この発明によっても、スクリーン８の取付け及び収納が簡単容易となり、スクリーン８を横方向に広面積に使用できると共に、黒板１の表面を最大限利用できる。
【００１８】
請求項４に係る発明によれば、第１枠５には該第１枠５を所要スライド位置で黒板１上に固定するストッパー１１を設けているから、このストッパー１１で第１枠５を固定することにより、映写スクリーン８の使用中に第２枠６が第１枠５に近づく方向へ不測に移動するおそれがなく、また第１枠５と第２枠６とが互いに近接し、スクリーン８が第１枠５側に完全に巻き取られてスクリーン８が黒板１の表面に全く吸着されていない状態でも、第１枠５と第２枠６とを黒板表面の所要位置に固定させることができる。
【００１９】
請求項５に係る発明のように、映写スクリーン８の表面が書き消し可能であるから、プロジェクター等の映像を映写できると共に、ホワイトボートのようにマーカー等の筆記具で文字等を書いたり、その書いた文字等を消すことができる。
【図面の簡単な説明】
【００２０】
【図１】本発明に係る黒板装置の一実施形態を示す正面図で、(a) は第１枠と第２枠とを近接させた状態で黒板の左側寄りの位置にセットした状態を示し、(b) は第１枠を第２枠から離れる方向に所要長さスライドさせた状態を示す。
【図２】(a) は黒板表面が平面状である黒板の平面図、(b) は黒板表面が凹曲面状である黒板の平面図、(c) は黒板表面の片側半分が平面状、反対側半分が凹曲面状である黒板の平面図である。
【図３】(a) は第１枠と第２枠とが隣接状態にある時の黒板装置の一部拡大平面図、(b) は(a) と同じ状態にある時の黒板装置の一部拡大断面図、(c) は第２枠が所定位置に固定した状態から第１枠が移動して映写スクリーンが延出し、黒板表面に吸着された状態の一部拡大断面図、(d) は第１枠が所要スライド位置でストッパーによって黒板上に固定された状態の一部拡大断面図である。
【図４】(a) は図１のＸ−Ｘ線拡大断面図、(b) は映写スクリーンの拡大断面図である。
【図５】本発明に係る黒板装置の他の実施形態を示す正面図で、(a) は第１枠と第２枠とを近接させた状態で黒板の右側寄りの位置にセットした状態を示し、(b) は第１枠を第２枠から離れる方向に所要長さスライドさせた状態を示す。
【発明を実施するための形態】
【００２１】
以下に本発明の好適な一実施形態を図面に基づいて説明すると、黒板装置の全体を示す図１の(a) ，(b) 及び図３の(a) において、１は黒板で、図４から分かるように、木材製の黒板本体１ａと、この黒板本体１ａの表面側に一体的に貼着された鋼板（磁性金属材）製の表面材１ｂとからなり、表面材１ｂで形成される黒板表面の上下側縁部には上下縁枠２ａ，２ｂが、左右側縁部には左右縁枠２ｃ，２ｄが夫々取り付けられている。
【００２２】
上下両ガイドレール３，４には、スクリーン収納用第１枠５の上下端部とスクリーン引出端部保持用第２枠６の上下端部が夫々転動子７（図３及び図４参照）を介してスライド可能に取り付けられている。即ち、第１枠５の上下両端部及び第２枠６の上下両端部には夫々複数の転動子７が軸着されて、各転動子７が上下ガイドレール３，４に夫々スライド可能に嵌合され、それにより第１枠５と第２枠６とが互いに独立して上下ガイドレール３，４沿いにスライドできるようになっている。
【００２３】
図３の(a) 〜(c) に示すように、第１枠５には、映写スクリーン８を巻軸９にロール状に巻き取って形成したスクリーンロールＲが、ブラケット１６に軸支された状態で収納されるようになっている。第２枠６は、第１枠５と独立しているが、第１枠５に収納されているスクリーンロールＲから引き出した映写スクリーン８の引出先端部８ａを保持する固定軸１０が第２枠６に取り付けられ、この固定軸１０にスクリーン８の引出先端部８ａが固着され、従って第１枠５と第２枠６とはスクリーン８を介してつながっている。また、図示は省略するが、スクリーンロールＲの巻軸９とこれを回転自在に軸架する第１枠５のブラケット１６との間には、映写スクリーン８を常に巻き取る方向に付勢する適度の付勢力を有するバネが介装されている。
【００２４】
映写スクリーン８は、図４の(b) に示すように、表面側のスクリーン生地１７と、このスクリーン生地１７の裏面に貼着されたマグネットシート１８とからなるもので、スクリーン生地１７は、例えば塩化ビニル樹脂で形成された１枚の生地である。また、このスクリーン生地１７は、プロジェクター等から投射された映像を生地の表面に鮮明に映し出すことができるのみならず、マーカー等の筆記具で文字等を書いたり、その書いた文字等を消すことができるように形成されている。
【００２５】
また、第１枠５には、この第１枠５を黒板表面上の所要スライド位置に固定するためのストッパー１１が設けられている。このストッパー１１としては、第１枠５を所要のスライド位置で黒板１の表面上に固定させることができるものであれば、どのうような機構でもよいが、この実施形態のストッパー１１は、図３の(b) 〜(d) に示すように、第１枠５の内側所要部に固着したナット１２に、第１枠５の外側から締付ボルト１３を螺嵌して、そのボルト１３の先端部に押付プレート１４を固着し、また締付ボルト１３の基端部にハンドル１５を取り付けてなるもので、通常は、押付プレート１４が黒板１の表面から離間するように締付ボルト１３をセットしておいて、第１枠５を固定する時に、締付ボルト１３をハンドル１５で締め付け方向に回して、押付プレート１４を黒板１の表面に押し付けることにより、第２枠６を所要スライド位置に固定させることができる。
【００２６】
上記のように構成される黒板装置における映写スクリーン８の使用方法について、図１及び図３を参照して説明する。
【００２７】
映写スクリーン８を図１の(b) に示すように黒板１の中央部側で使用する時は、先ず、第１枠５と第２枠６とを互いに引き寄せて近接した状態で、図１の(a) に示すように黒板１の左側寄りの位置にスライドさせておく。この状態を図３の(a) の平面図で示す。それから、第２枠６を、同図の(b) に仮想線で示すように第１枠５から離れる方向（左方向）へ少し（５０ｍｍ程度）だけ引き出して、スクリーン８の引出先端部８ａを、上から下へと摩（さす）りながら黒板１の表面に吸着固定させて、第２枠６の位置決めをする。この位置決めした第２枠６を同図の(c) に示す。
【００２８】
こうして第２枠６の位置決めが終わったならば、同じ図３の(c) に示すように、第１枠５を第２枠６から離れる方向（右方向）にスライドさせることにより映写スクリーン８を所要長さ延出して黒板１の表面に吸着させる。この場合、上記第２枠６の位置決めにより映写スクリーン８の引出先端部８ａ側が既に黒板１の表面に吸着されているから、第１枠５を第２枠６から離れる方向にスライドさせるだけで、映写スクリーン８が必要長さ延出されて、そのスクリーン８の裏面が黒板１の表面に吸着され、図１の(b) 及び図３の(c) に示すような使用状態となる。
【００２９】
図１の(b) 及び図３の(c) に示すような使用状態で第１枠５を黒板１上に固定したい場合には、図３の(d) に示すように、ストッパー１１の締付ボルト１３をハンドル１５で締め付け方向に回して、押付プレート１４を黒板１の表面に押し付けることにより、第２枠６を所要位置に固定させることができる。こうして第１枠５を固定しておけば、映写スクリーン８の使用中に第２枠６が第１枠５に近づく方向へ不測に移動するおそれがない。またストッパー１１は、第１枠５と第２枠６とが互いに近接して、スクリーン８が第１枠５側に完全に巻き取られてスクリーン８が黒板１の表面に全く吸着されていない状態でも、第１枠５と第２枠６とを黒板表面の所要位置に固定させることができる。
【００３０】
また、映写スクリーン８を収納する時は、上記使用時の手順の逆で、第１枠５を第２枠６に近づく方向へスライドさせるだけで、スクリーン８を収納することができる。即ち、図３の(d) に示すように第２枠６を黒板１の表面上で固定していたストッパー１１を固定解除した状態で、第１枠５を、第２枠６へ近づく方向にスライドさせることにより、スクリーン８が黒板表面から剥離しながら第２枠６にロール状に収納される。この場合、スクリーンロールＲの巻軸９とこれを軸架する第１枠５のブラケット１６との間にはスクリーン８を常に巻き取る方向へ適度に付勢するバネが介装されているから、第１枠５を第２枠６側へスライドさせると、そのバネ付勢力によってスクリーン８が黒板表面から剥離しながら巻き取られて第１枠５に収納される。
【００３１】
以上説明した黒板装置は、表面側が磁性金属材からなる黒板１の上下端部に夫々ガイドレール３，４を設け、上下ガイドレール３，４に、ロール状スクリーン収納用第１枠５の上下端部とスクリーン先端部保持用第２枠６の上下端部を夫々スライド可能に取り付け、第１枠５には、スクリーン生地１７の裏面にマグネットシート１８を貼着して形成した映写スクリーン８をロール状に巻き取って収納し、このスクリーンロールＲから引き出したスクリーン引出先端部８ａを第２枠６に保持し、スクリーン使用時には、第２枠６を第１枠５から若干引き離してスクリーン先端部８ａを黒板１の表面に吸着固定させることによって第２枠６を位置決めした状態から、第１枠５を第２枠６から離れる方向に所要長さスライドさせることにより、スクリーン８を横方向に延出して黒板１の表面に吸着させるようになっているから、映写スクリーン８が重力でたるんだり、揺れ動いたりすることがなく、映像が見易くなる上、スクリーン８の取付けが簡単容易となり、スクリーン８を横方向に広面積に使用できると共に、黒板１の表面を最大限利用できる。また、映写スクリーン８を収納する時は、第１枠５を第２枠６に近づく方向にスライドさせることによって、スクリーン８を黒板１の表面から剥離しながら第１枠５にロール状に収納するようになっているから、映写スクリーン８の収納が簡単となる。
【００３２】
また、上述した実施形態の黒板装置では、黒板１の表面が平面状で、図２の(a) に示すように黒板１が平面視で直線状となっているが、図２の(b) は、黒板１の表面が凹曲面状であって、この凹曲面状黒板１の上下端部に夫々ガイドレール３，４を設け、上下ガイドレール３，４に、第１枠５と第２枠６の夫々上下端部を夫々スライド可能に取り付けたものである。この図において、１９は凹曲面状黒板１を背面側から支持する支持枠である。図２の(c) は、黒板表面の片側半分が平面状、反対側半分が凹曲面状である黒板を示したもので、この半曲面状黒板１の上下端部に夫々ガイドレール３，４を設けて、上下両ガイドレール３，４に、第１枠５と第２枠６の夫々上下端部を夫々スライド可能に取り付けている。この図において、２０は半曲面状黒板１を背面側から支持する支持枠である。
【００３３】
また、この発明に係る黒板装置の黒板１は、新しく製作される黒板に限ることはなく、現在使用されている既設の黒板をそのまま使用できるもので、既設の黒板１の上下端部に夫々ガイドレール３，４を設け、上下ガイドレール３，４に、ロール状スクリーン収納用第１枠５の上下端部とスクリーン先端部保持用第２枠６の上下端部を夫々スライド可能に取り付け、第１枠５に映写スクリーン８をロール状に巻き取って収納し、このスクリーンロールＲから引き出したスクリーン先端部８ａを第２枠６に保持すればよい。このように既設の黒板１を使用することにより、コストの低減化が図られる。
【００３４】
また、この発明に係る黒板装置の黒板１は、壁面等の定位置に固定される固定式のものでもよいし、昇降機構によって昇降可能な昇降式のもの、あるいは上段位置と下段位置とに上げ下げ自在としたものでもよい。
【００３５】
図１及び図３により説明した実施形態の黒板装置では、スクリーン８の使用にあたり、第２枠６を、これに保持されるスクリーン引出先端部８ａを黒板１の表面に吸着させることで第２枠６を黒板１の表面所要スライド位置に係止させ、この状態から、第１枠５を第２枠６から離れる方向にスライドさせることでスクリーン８を所要長さ延出して黒板１の表面に吸着させて第１枠５を黒板１の所要引き出し位置に係止させるようにし、またスクリーン収納時には、第１枠５を第２枠６に近づく方向にスライドさせることにより、スクリーン８を黒板１の表面から剥離しながら第１枠５にロール状に収納するようにしたが、図５に示す実施形態の黒板装置では、スクリーン使用時には、第１枠５を黒板１の表面所要スライド位置に固定させ、この状態から、第２枠６を第１枠５から離れる方向にスライドさせることでスクリーン８を所要長さ延出して黒板１の表面に吸着させて第２枠６を黒板１の所要引き出し位置に係止させ、これによってスクリーン使用状態とし、スクリーン収納時には、第１枠を第２枠に近づく方向にスライドさせることにより、スクリーン８を黒板１の表面から剥離しつつ第１枠５にロール状に収納するようにした実施形態を示す。尚、図５に示す第１枠５、第２枠６及び映写スクリーン８の構造については、図１及び図３に示すものと同一とする。
【００３６】
即ち、図５の実施形態について詳述すれば、スクリーン使用時には、先ず、第１枠５と第２枠６とを互いに引き寄せた状態で、図５の(a) に示すように黒板１の右側寄りの位置にスライドさせておいて、この位置で第１枠５をストッパー１１により黒板１の表面上に固定させる。それから、第２枠６を第１枠５から離れる方向（左方向）にスライドさせることにより映写スクリーン８を所要長さ延出して黒板１の表面に吸着させる。この場合、第１枠５をストッパー１１で黒板１上の所定位置に固定しているため、第２枠６を第１枠５から離れる方向にスライドさせると、映写スクリーン８が延出されるから、所要長さ延出した位置でスクリーン８の裏面を黒板１の表面に吸着させることによって、スクリーン使用状態となる。そして、スクリーン収納時は、第２枠６を第１枠５に近づく方向にスライドさせると、スクリーン８の引出先端部８ａ側が黒板１の表面から剥離するけれども、剥離したスクリーン８が垂れ下がった状態となり、第１枠５に巻取り収納できないため、収納時には、第１枠を第２枠に近づく方向にスライドさせることにより、スクリーン８を黒板１の表面から剥離しながら第１枠５にロール状に収納することができる。
【００３７】
この実施形態の黒板装置も、前述した図１及び図３に示される黒板装置と同様に、スクリーン８の取付け・収納が簡単容易となり、スクリーン８を横方向に広面積に使用できると共に、黒板１の表面を最大限利用することができる。
【００３８】
また、図１、図３及び図５によって説明した黒板装置では、スクリーン８を左右横方向に長い黒板１の中央部側で使用する場合を例示し、その場合は第１枠５と第２枠６の両方の枠５，６をスライドさせる必要があるが、スクリーン８を黒板１の左側に寄った位置、又は右側に寄った位置で使用する場合には、第１枠５又は第２枠６の何れか一方を黒板１の右端又は左端に寄せて固定すれば、この固定した一方の枠に対し他方の枠を離れる方向にスライドさせることにより、スクリーン８を所要長さ延出して黒板１の表面に吸着させて、スクリーン使用状態とすることができるから、片方の枠だけをスライド操作でよく、スクリーン８の取付操作及び収納操作が一層容易となる。
【００３９】
また、上述した実施形態の黒板装置では、第１枠５及び第２枠６を黒板１の長手方向にスライド可能に案内するガイドレール３，４を黒板１の上下端部に直接に設けているが、このガイドレール３，４は、黒板１が設置されている建物内仕切壁等の外側壁面における黒板１の上下端部に対応する位置に設けてもよい。因に、既設の黒板１に直接ガイドレール３，４を取り付ける場合に、黒板１の表面側を傷つけるおそれがあるが、仕切壁等の外側壁面にガイドレール３，４を取り付ける場合はそのような心配がない。
【００４０】
以上説明した黒板装置は、表面側が磁性金属材からなる黒板１の上下端部に夫々ガイドレール３，４を設け、上下両ガイドレール３，４に、ロール状スクリーン収納用第１枠５の上下端部とスクリーン先端部保持用第２枠６の上下端部を夫々スライド可能に取り付け、第１枠５には、可撓性スクリーン生地１７の裏面にマグネットシート１８を貼着して形成した映写スクリーン８をロール状に巻き取って収納し、第２枠６には、第１枠５に収納されているロール状スクリーン８から引き出されるスクリーン引出先端部８ａを保持するようにしたものであるから、使用時は、第１枠５と第２枠６の何れか一方を黒板表面に固定させた状態で、他方を離れる方向にスライドさせることでスクリーン８を引き出して黒板表面に固定させるようにすればよいから、黒板の形が曲面や半曲面や平面の何れでも、また黒板のタイプが固定式や昇降式や上げ下げ式の何れでも、それら全ての黒板に対応して簡単に取り付けることができる。
【００４１】
また上述の黒板装置では、黒板表面上のどの位置でも、即ち黒板表面上の任意の位置にスクリーンを貼ったり、剥がしたりすることができ、例えば、教室で一番見易い位置は黒板の真ん中であり、映像を取り入れた授業をする場合、第１枠５と第２枠６を黒板の中央にセットして、第１枠５と第２枠６の何れか一方を固定させた状態で、他方を離れる方向にスライドさせて、スクリーン８を横方向へ広げるだけで、黒板表面の真ん中をスクリーンとして使用することができ、児童、生徒に快適な場所で映像を楽しんでもらうことができる。
【００４２】
また、映写スクリーン８は、スクリーン生地１７の裏面にマグネットシート１８を貼着して形成されたもので、磁性金属材からなる黒板１の表面に磁力で吸着するようになっているから、スクリーン８を黒板１の表面にピッタリと密着状態に貼り付けることができ、また容易に剥ぎ取ることができる。このようにスクリーン８を磁力で黒板表面に対し貼ったり、剥がしたりできるので、黒板表面に糊などが付着することがなく、黒板の板書も快適に使用することができる。またスクリーン８を横方向に延出して黒板表面に吸着させるようにしているから、映写スクリーン８が重力でたるんだり、揺れ動いたりすることがなく、映像が非常に見やすくなる。また、映写スクリーン８の表面が書き消し可能であるから、ホワイトボートのようにマーカー等の筆記具で文字等を書いたり、その書いた文字等を消すことができると共に、そのマーカー等の筆記具を快適に使用することができることになる。
【符号の説明】
【００４３】
１            黒板
３，４        ガイドレール
５            クリーン収納用の第１枠
６            スクリーン引出先端部保持用の第２枠
８            映写スクリーン
８ａ          スクリーン引出先端部
１１          ストッパー
１７          スクリーン生地
１８          マグネットシート
【図１】
2014058135.tif 000003
【図２】
2014058135.tif 000004
【図３】
2014058135.tif 000005
【図４】
2014058135.tif 000006
【図５】
2014058135.tif 000007